(57)【特許請求の範囲】
【請求項１】
ＯＬＥＤ照明シートと、前記ＯＬＥＤ照明シートの前面に重なって面接触する透明フィルム、および前記ＯＬＥＤ照明シートの背面に面接触した状態で、左右側の縁で前記ＯＬＥＤ照明シートと前記透明フィルムを収容および支持するケーシングプレート（Ｃａｓｉｎｇ  ｐｌａｔｅ）を備える照明部、および
前記ケーシングプレートの背面に取り付けられ、内部に前記ＯＬＥＤ照明シートを駆動するための回路部およびバッテリを収容するバックハウジング部、
を備える多用途補助ランプであって、
前記照明部自体が立体的に湾曲した形態でも使用可能であり、
前記ケーシングプレートは、
前記ＯＬＥＤ照明シートの背面に面接触するバックカバー部と、少なくとも互いに対向し、前記前面に向けて垂直方向に突出するサイドフレーム部を有し、前記サイドフレーム部の内側において、前記バックカバー部の前面に向かって前記ＯＬＥＤ照明シート及び前記透明フィルムのそれぞれの縁部を支持し、
前記サイドフレーム部は、
前記バックカバー部の側面の縁と当接して支持する第１垂直端部と、前記ＯＬＥＤ照明シートの側面の縁と当接して支持する第２垂直端部と、前記透明フィルムの側面の縁と当接して支持する第３垂直端部が順に形成され、
前記第１垂直端部と前記第２垂直端部の間に形成され、前記バックカバー部の前面の縁に取り付けられ、前記第１垂直端部及び前記第２垂直端部と直交する第１水平端部と、前記第２垂直端部と前記第３垂直端部の間に形成され、前記透明フィルムの背面の縁に取り付けられ、前記第２垂直端部及び前記第３垂直端部と直交する第２水平端部がさらに形成されることを特徴とする、多用途補助ランプ。
【請求項２】
前記ケーシングプレートは、
前記ＯＬＥＤ照明シートの背面に面接触するバックカバー部と、前記バックカバー部の互いに対向する両側面から垂直に突出し、前記ＯＬＥＤ照明シートおよび前記透明フィルムを側面で支持するサイド突出端部と、前記サイド突出端部から内側に前記バックカバー部の正面と平行に延長して前記透明フィルムの表面の縁を接触支持するガイドアーム部を備えることを特徴とする、請求項１に記載の多用途補助ランプ。
【請求項３】
前記照明部は長方形に形成され、前記サイド突出端部と直交する両側面は自由端部に形成されることにより、前記ケーシングプレートに収容された前記ＯＬＥＤ照明シートおよび前記透明フィルムが外部に露出することを防ぐために封止プラグ（Ｐｌｕｇ）が前記自由端部に嵌め込まれ連結されたことを特徴とする、請求項２に記載の多用途補助ランプ。
【請求項４】
前記透明フィルムは、前記ＯＬＥＤ照明シートの前面に面接触する前面カバー部と、前記前面カバー部の互いに対向する両側面から垂直に突出し、前記ＯＬＥＤ照明シートを側面で支持するサイド端部とを備え、
前記ケーシングプレートは、前記ＯＬＥＤ照明シートの背面に面接触するバックカバー部と、前記バックカバー部の互いに対向する両側面から垂直に突出し、前記サイド端部を側面で支持するサイド突出端部を備えることを特徴とする、請求項１に記載の多用途補助ランプ。
【請求項５】
前記透明フィルムのサイド端部は、その長さ方向に沿って複数の係止突起が突出形成され、
前記ケーシングプレートのサイド突出端部は、前記複数の係止突起に対応する各位置に係止凹溝部が形成されることを特徴とする、請求項４に記載の多用途補助ランプ。
【請求項６】
前記バックハウジング部は、外部への取り付けのために、背面に磁性体が備えられることを特徴とする、請求項１に記載の多用途補助ランプ。
【請求項７】
前記磁性体は前記バックハウジング部の背面の内／外側に取り付けられ、外側の磁性体は着脱が可能なように前記背面に備えられることを特徴とする、請求項６に記載の多用途補助ランプ。
【発明の詳細な説明】
【技術分野】
【０００１】
本発明は多用途補助ランプに関し、より詳しくは、ＯＬＥＤ照明シートの前面および背面にそれぞれ透明フィルムおよびケーシングプレート（Ｃａｓｉｎｇ  ｐｌａｔｅ）を備えて照明部を構成し、ケーシングプレートの背面に付着し、内部にＯＬＥＤ照明シートを駆動するための回路部およびバッテリを収容するバックハウジング部を備えることにより、光源としてＯＬＥＤを組み合わせることによって厚さを最小化し、輝度が向上した光を提供する多用途補助ランプに関する。
【背景技術】
【０００２】
室内の寝室やリビングルームなどに設置される従来の電灯は、壁や天井に固定装着する構造をもつ関係から、このような電灯を移動させたり必要な場所に位置させることは不可能であった。
【０００３】
これにより、本発明では、ユーザの必要に応じて室内の多様な位置に掛けて照明機能を実行することができる多用途補助ランプを提案するのに至った。もちろん、このような多用途補助ランプは、室外でのキャンプや釣りのようなレジャー用としても使用することができる。
【０００４】
このような本発明の多用途補助ランプに関する従来技術としては、懐中電灯のような携帯用補助ランプを挙げることができるが、上述したような室内での用途を含んで考慮するとき、従来の携帯用補助ランプは、停電などの非常時に使われる程度に過ぎないため、本発明とはかけ離れている。
【０００５】
一方、従来の携帯用補助ランプは、照明手段の発達に伴ってフィラメント電球類を利用していたが、最近ではＬＥＤ（Ｌｉｇｈｔ−ｅｍｉｔｔｉｎｇ  ｄｉｏｄｅ）などの新しくて多様な照明手段を採用した製品が登場している。特に、最近開発されているＯＬＥＤ（Ｏｒｇａｎｉｃ  ｌｉｇｈｔ−ｅｍｉｔｔｉｎｇ  ｄｉｏｄｅ：有機発光ダイオード）は、高輝度性、薄膜化、屈曲可能性などの側面において強点をもつという関係から、ＴＶなどの各種映像装置に採択されている。
【０００６】
これにより、本発明では、上述したように高輝度および薄膜化が可能なＯＬＥＤを照明手段として適用することにより、既存の携帯用補助ランプに比べて輝度がさらに向上することはもちろん、よりスリムで洗練された多用途補助ランプを提案する。
【発明の概要】
【発明が解決しようとする課題】
【０００７】
本発明は、薄膜型のＯＬＥＤ照明シート、透明フィルム、およびケーシングプレートを結合して照明部を薄膜化することにより、厚さを最小化し、輝度が向上した光を発光する多用途補助ランプを提供することを目的とする。
【０００８】
また、本発明は、照明部の光源として柔軟性をもつＯＬＥＤ照明シートおよび透明フィルムを利用することにより、曲率半径の変更が可能な照明部を備えた多用途補助ランプを提供することを目的とする。
【課題を解決するための手段】
【０００９】
上述した目的を達成するために、本発明は、ＯＬＥＤ照明シートと、前記ＯＬＥＤ照明シートの前面に重なって面接触する透明フィルムおよび前記ＯＬＥＤ照明シートの背面に面接触した状態で、左右側の縁によって前記ＯＬＥＤ照明シートと前記透明フィルムを収容および支持するケーシングプレート（Ｃａｓｉｎｇ  ｐｌａｔｅ）を備える照明部と、前記ケーシングプレートの背面に付着し、内部に前記ＯＬＥＤ照明シートを駆動するための回路部およびバッテリを収容するバックハウジング部を備える多用途補助ランプを提供する。
【００１０】
ここで、前記ケーシングプレートは、前記ＯＬＥＤ照明シートの背面に面接触するバックカバー部と、前記バックカバー部の互いに対面する両側面から垂直に突出し、前記ＯＬＥＤ照明シートおよび前記透明フィルムを側面で支持するサイド突出端部と、前記サイド突出端部から内側に前記バックカバー部の正面と平行に延長し、前記透明フィルムの表面の縁を接触支持するガイドアーム部を備えることもできる。
【００１１】
このとき、前記照明部は長方形に形成され、前記サイド突出端部と直交する両側面は自由端部に形成されることにより、前記ケーシングプレートに収容された前記ＯＬＥＤ照明シートおよび前記透明フィルムが外部に露出することを防ぐための封止プラグ（Ｐｌｕｇ）が挟み結合されることもできる。
【００１２】
そして、前記ケーシングプレートは、前記ＯＬＥＤ照明シートの背面に面接触するバックカバー部と、前記バックカバー部の少なくとも互いに対面する両側の縁に付着し、前記前面に向かって垂直に突出することにより、内側には、前記バックカバー部の正面から前記ＯＬＥＤ照明シートおよび前記透明フィルムの各縁を接触支持するサイドフレーム部を備えることもできる。
【００１３】
このとき、前記サイドフレーム部は、前記バックカバー部の側面の縁と当接して支持する第１垂直端部と、前記ＯＬＥＤ照明シートの側面の縁と当接して支持する第２垂直端部と、前記透明フィルムの側面の縁と当接して支持する第３垂直端部が順に形成されることもできる。
【００１４】
また、このとき、前記サイドフレーム部は、前記第１垂直端部と前記第２垂直端部の間に形成され、前記バックカバー部の前面の縁に付着する第１水平端部と、前記第２垂直端部と前記第３垂直端部の間に形成され、前記透明フィルムの背面の縁に付着する第２水平端部がさらに形成されることもできる。
【００１５】
一方、前記透明フィルムは、前記ＯＬＥＤ照明シートの前面に面接触する前面カバー部と、前記前面カバー部の互いに対面する両側面から垂直に突出し、前記ＯＬＥＤ照明シートを側面で支持するサイド端部を備え、前記ケーシングプレートは、前記ＯＬＥＤ照明シートの背面に面接触するバックカバー部と、前記バックカバー部の互いに対面する両側面から垂直に突出し、前記サイド端部を側面で支持するサイド突出端部を備えることもできる。
【００１６】
このとき、前記透明フィルムのサイド端部は、その長さ方向に沿って多数の係止突起が突出形成され、前記ケーシングプレートのサイド突出端部は、前記多数の係止突起に対応する各位置に係止凹溝部が形成されることもできる。
【００１７】
また、前記バックハウジング部は、外部への付着のために、背面に磁性体が備えられることもできる。
【００１８】
このとき、前記磁性体は前記バックハウジング部の背面の内／外側に付けられ、外側の磁性体は前記背面に着脱が可能なように備えられることもできる。
【発明の効果】
【００１９】
以上のように、本発明に係る多用途補助ランプによると、ＯＬＥＤ照明シート、透明フィルム、およびケーシングプレートの結合によって構成される照明部の薄膜化により、既存の補助ランプに比べて輝度が向上することはもちろん、よりスリムで洗練された多用途補助ランプを提供することができる。
【００２０】
また、室内の寝室やリビングルームのムードランプとして使用したり、野外キャンプや釣りなどのレジャー用としても、ユーザが所望する用途および位置に合わせて便利に使うことができる。
【００２１】
なお、照明部の組み立てにおいても、既存の螺子や両面テープなどで部品間を付着する方式を採用するときは、体積ないし厚さが増加し、作業工数が増え、不良率が高いという問題があったが、本発明に係る照明部は、ＯＬＥＤ照明シートと透明フィルムをケーシングプレートに嵌め込んだりスライド挿入させるという単純な方法を採択しているため、体積と厚さが減少するのはもちろん、作業工数が大幅に減り、組み立てによる製品の不良率を大きく低減させることができる。
【００２２】
また、ＯＬＥＤの特性上、既存のフィラメント電球やＬＥＤなどでは実現することができなかった自然光に近い照明色を提供することができ、消費電力も著しく低下することにより、エコロジーな多用途補助ランプを実現することができる。
【００２３】
なお、ＯＬＥＤ照明シートは、これを曲げて立体的に屈曲した形態でも使用することができるため、凸や凹などの曲率半径をもつ照明部を実現できるようになることから、多様なデザインを実現できるという利点をもつ。
【図面の簡単な説明】
【００２４】
【図１】本発明の第１実施例に係る多用途補助ランプの斜視図である。
【図２】図１の多用途補助ランプの平面図である。
【図３】図１の多用途補助ランプの分解斜視図である。
【図４】図１の多用途補助ランプの一構成要素である照明部の断面図である。
【図５】図１の多用途補助ランプの変形例を示した斜視図である。
【図６】本発明の第２実施例に係る多用途補助ランプの一構成要素である照明部の断面図である。
【図７】本発明の第３実施例に係る多用途補助ランプの一構成要素である照明部の断面図である。
【発明を実施するための形態】
【００２５】
本発明の第１実施例に係る多用途補助ランプ１は、図１および図２に示すように、長方形の薄板の形態からなる照明部１０、この照明部１０の背面に付着して照明部１０を支持するバックハウジング部２０を備えて構成される。
【００２６】
照明部１０は、図３に示すように、長方形の薄膜ＯＬＥＤ照明シート１１を照明手段として備えており、このＯＬＥＤ照明シート１１の前面に重なって面接触する長方形の透明フィルム１２を備える。透明フィルム１２は、ＯＬＥＤ照明シート１１から発生する光は通過させ、外部の衝撃からこれを保護する機能を行う。
【００２７】
また、照明部１０は、ＯＬＥＤ照明シート１１と透明フィルム１２を収容および支持する長方形のケーシングプレート（Ｃａｓｉｎｇ  ｐｌａｔｅ）１３をさらに備える。
【００２８】
ケーシングプレート１３は、ＯＬＥＤ照明シート１１の背面に面接触した状態で、図４に示すように、その左右側の縁でＯＬＥＤ照明シート１１および透明フィルム１２を収容および支持する。
【００２９】
具体的に、ケーシングプレート１３は、ＯＬＥＤ照明シート１１の背面（図４では上面）に面接触するバックカバー部１３ａ、このバックカバー部１３ａの互いに対面する両側面から垂直に突出するサイド突出端部１３ｂ、およびこのサイド突出端部１３ｂから内側にバックカバー部１３ａの正面と平行に延長するガイドアーム部１３ｃを備える。
【００３０】
サイド突出端部１３ｂは、上下に積層しているＯＬＥＤ照明シート１１と透明フィルム１２を側面で支持し、ガイドアーム部１３ｃは、透明フィルム１２の表面（図４では底面）の縁を接触支持することにより、上述したガイドアーム部１３ｃおよびバックカバー部１３ａと共に形成する内部空間において、ＯＬＥＤ照明シート１１と透明フィルム１２が共に収容および支持されるようにする。
【００３１】
このようなケーシングプレート１３は、圧出アルミニウム圧出によって実現されることができ、照明部１０は、前記ケーシングプレート１３の長さ方向の一側端部からＯＬＥＤ照明シート１１と透明フィルム１２を挟む方式によって組み立てることができる。
【００３２】
一方、図３に示すように、ＯＬＥＤ照明シート１１と透明フィルム１２を挟んだケーシングプレート１３の左右側の自由端部１０ａには、棒形状の封止プラグ（Ｐｌｕｇ）１４を挟み結合させることにより、ケーシングプレート１３に挟まれて収容されたＯＬＥＤ照明シート１１と透明フィルム１２が前記自由端部１０ａから外部に露出することを防ぐことができる。
【００３３】
バックハウジング部２０は、図２および図３に示すように、ケーシングプレート１３の背面に付着し、内部にはＯＬＥＤ照明シート１１を駆動するための回路部２１およびバッテリ２２、２３を収容する。バッテリ２２、２３としては、携帯電話などに使用されるものと同一のリチウム−イオンバッテリ２２を備えることによって携帯電話の充電装置をそのまま利用できるようにし、この他にも別途で一般の乾電池２３も交換しながら使用できるようにする。バックハウジング部２０の外側の板面には、ユーザによる操作のためのスイッチ２４が設置される。
【００３４】
また、バックハウジング部２０には、リチウム−イオンバッテリ２２への電源供給のためのコネクタ（図示せず）が備えられることにより、電線を通じて外部から電源が供給される状態でも使用できるように備えられることもできる。
【００３５】
バックハウジング部２０は、多用途補助ランプ１の持ち手としても機能し、プラスチック射出物で成形されることができる。
【００３６】
また、図３に示すように、バックハウジング部２０は、その背面の内側および外側に磁石板２５が備えられることにより、ユーザがスイッチ２４をつけた後、多用途補助ランプ１を鉄材で形成された外部器物に付着させることもできる。
【００３７】
特に、外側の磁石板２５の場合には、バックハウジング部２０から分離が可能なように備えることにより、テントのような薄い膜を間に置いて内／外側の磁石板２５を互いに付けることによって全体ランプ１を固定させることもできる。
【００３８】
一方、上述したように、照明部１０に光源として適用されるＯＬＥＤ照明シート１１は、このフレキシブル（ｆｌｅｘｉｂｌｅ）な特性に基づいて必要に応じて曲り、例えば、図５に示すように、照明部１０自体が立体的に屈曲した形態でも使用することができる。したがって、ＯＬＥＤ照明シート１１の屈曲可能な特性を利用することにより、立体的に凸（ａ）、凹（ｂ、ｃ）などの曲率半径をもつ多様なデザインの照明部１０を実現することができる。
【００３９】
本発明の第２実施例に係る多用途補助ランプの照明部１０’において、ケーシングプレートは、図６に示すように、バックカバー部１４とサイドフレーム部１５を備える。
【００４０】
バックカバー部１４は、ＯＬＥＤ照明シート１１の背面（図面では上面）に面接触して支持し、サイドフレーム部１５は、バックカバー部１４の前面（図面では下面）の互いに対面する両側面の縁に付着し、前記前面に向かって垂直に突出し、その内側には前記バックカバー部１４の正面（すなわち、前面）でＯＬＥＤ照明シート１１および透明フィルム１２の各縁を接触支持する。
【００４１】
具体的に、サイドフレーム部１５は、バックカバー部１４の両側の縁と当接して支持する第１垂直端部１５ａ、ＯＬＥＤ照明シート１１の両側の縁と当接して支持する第２垂直端部１５ｂ、透明フィルム１２の両側の縁と当接して支持する第３垂直端部１５ｃが順に形成された、横からみた断面が「Ｔ」字の形状をなしている。
【００４２】
また、サイドフレーム部１５は、上述した第１垂直端部１５ａと第２垂直端部１５ｂの間に形成される第１水平端部１５ｄによってバックカバー部１４の前面縁に付着し、上述した第２垂直端部１５ｂと第３垂直端部１５ｃの間に形成される第２水平端部１５ｅによって透明フィルム１２の背面の縁に付着する。
【００４３】
ここで、バックカバー部１４は、ステンレスまたはカーボン材質で形成されることができ、サイドフレーム部１５はアルミニウム射出物で形成されることができる。
【００４４】
本発明の第３実施例に係る多用途補助ランプの照明部１０’’は、図７に示すように、ＯＬＥＤ照明シート１１の前面に重なって面接触する長方形の透明フィルム１２’と、ＯＬＥＤ照明シート１１と透明フィルム１２’を側面で収容および支持する長方形のケーシングプレート１３’を備える。
【００４５】
透明フィルム１２’は、ＯＬＥＤ照明シート１１の前面（図面では底面）に面接触する前面カバー部１２ａ’と、この前面カバー部１２ａ’の左右両側面から垂直に突出してＯＬＥＤ照明シート１１を側面で支持するサイド端部１２ｂ’を備える。
【００４６】
ケーシングプレート１３’は、前記ＯＬＥＤ照明シート１１の背面（図面では上面）に面接触するバックカバー部１３ａ’と、バックカバー部１３ａ’の互いに対面する両側面から垂直に突出し、前記サイド端部１２ｂ’を側面で支持するサイド突出端部１３ｂ’を備える。
【００４７】
これにより、照明部１０’’は、ＯＬＥＤ照明シート１１、透明フィルム１２’、およびケーシングプレート１３’の三層だけからなる厚さを有することにより、同じスライド組み立て方式を採用している上述した第１実施例の照明部（図４の１０）よりも、より薄い照明部を実現することができる。
【００４８】
このとき、図７に示すように、透明フィルム１２’のサイド端部１２ｂ’は、その長さ方向に沿って多数の係止突起（Ｔ）が突出形成され、これに対してケーシングプレート１３’のサイド突出端部１３ｂ’には、前記多数の係止突起（Ｔ）に対応する各位置に係止凹溝部（Ｈ）が形成されることにより、組み立ての際には互いに締結するようにできる。
【００４９】
一方、上述した多用途補助ランプは、本発明の理解を助けるための一実施形態に過ぎず、本発明の権利範囲ないし技術的範囲が上述されたものに限定されると理解されてはならない。
【図１】
0006534733.tif 000002
【図２】
0006534733.tif 000003
【図３】
0006534733.tif 000004
【図４】
0006534733.tif 000005
【図５】
0006534733.tif 000006
【図６】
0006534733.tif 000007
【図７】
0006534733.tif 000008